(57)【特許請求の範囲】
【請求項１】
ｃ）外側透明グレージング材料と、
ｄ）カプセル封入相互接続太陽電池と、
ｃ）官能化ポリフッ化ビニリデン（ＰＶＤＦ）組成物を含む背面シートとを含み、ポリフッ化ビニリデン組成物が、背面シート基板に、水性コーティング組成物として適用される光起電モジュールであって、該ＰＶＤＦ組成物は、官能化アクリル変性フルオロポリマーを含み、ここで、そのフルオロポリマー部分は、該アクリル変性フルオロポリマーの少なくとも５０重量％を構成し、かつ、フッ化ビニリデンモノマー単位と１〜２９重量％のヘキサフルオロプロペンモノマー単位とのコポリマーであり、該アクリル変性フルオロポリマーの該アクリル部分が官能化アクリルモノマー単位を含む、光起電モジュール。
【請求項２】
前記背面シート基板が、ポリエチレンテレフタレートまたはポリブチレンテレフタレート基板である請求項１に記載の光起電モジュール。
【請求項３】
背面シート基板が、化学的に処理されて、ＰＶＤＦコーティングの接着が改善される請求項１に記載の光起電モジュール。
【請求項４】
前記ＰＶＤＦコーティング組成物が、アクリル変性フルオロポリマー水性分散液である請求項１に記載の光起電モジュール。
【請求項５】
前記コーティング組成物が、２〜３３重量パーセントの架橋剤を含む請求項１に記載の光起電モジュール。
【請求項６】
前記ＰＶＤＦが、１３０℃を超える融点を有するホモポリマーまたはコポリマーである請求項１に記載の光起電モジュール。
【発明の詳細な説明】
【技術分野】
【０００１】
本発明は、背面シートとして、ポリフッ化ビニリデンを含有する組成物を有する太陽放射線を捕捉および使用する光起電モジュールに関する。ポリフッ化ビニリデン背面シート層は、環境に曝露されて、耐化学性、低水蒸気透過率、電気絶縁性およびＵＶ光保護を提供する。
【背景技術】
【０００２】
光起電モジュールは、外側グレージング材料、概して、保護のために透明なパッケージにカプセル封入された太陽電池、および背面シートを含む。太陽電池は、これらに限定されるものではないが、シリコン、セレン化カドミウムインジウム（ＣＩＳ）、セレン化カドミウムインジウムガリウム（ＣＩＧＳ）、量子ドットをはじめとするソーラーコレクターに用いることが公知の材料でできている。背面シートは、光起電モジュールの裏側で環境に曝露される。背面シートの主たる機能は、低水蒸気透過質、ＵＶおよび酸素バリア性を提供することであり、シリコンウェハ（フォトセル）を、水、酸素またはＵＶ放射線との反応により生じる劣化から保護する必要がある。シリコンウェハは、概して、エチレン酢酸ビニル（ＥＶＡ）にカプセル封入されているため、背面シート材料は、熱成型プロセスで成分を一緒に積層するときに、ＥＶＡに良好に接着するものでなければならない。
【０００３】
コレクターの背面シートは、鋼やアルミニウム等の金属とすることができる。しかしながら、最近では、ポリマー材料が背面シートに用いられている。Ｔｅｄｌａｒ（ＤｕＰｏｎｔ製ポリフッ化ビニル材料）（米国特許第６，６４６，１９６号明細書）、イオノマー／ナイロン合金（米国特許第６，６６０，９３０号明細書）およびポリエチレンテレフタレート（ＰＥＴ）は全て、光起電モジュールの背面シート層として、単独および組み合わせで用いられている。ＰＥＴは、優れた耐湿性を備え、比較的低コストのポリマーであるが、ＵＶ放射線、ＩＲ放射線およびオゾン等の環境の影響に曝露されると劣化し易い。多くの背面シート構造において、ＰＥＴは、丈夫で、光安定性、耐化学性があり、長期の湿気曝露に影響されないＴｅｄｌａｒ（ＰＶＦ）フィルムの使用により保護されている。それらはまた、（ＥＶＡ）にも良好に接着する。しかしながら、Ｔｅｄｌａｒフィルムは比較的高価で、水蒸気に対する良好な耐性がない。従って、ＴｅｄｌａｒフィルムとＰＥＴの組み合わせが、優れた背面シート材料を提供する。光起電背面シートの典型的な構造は、ＰＶＦ／ＰＥＴ／ＰＶＦ、ＰＶＦ／Ａｌ／ＰＶＦおよびＰＶＦ／ＰＥＴ／Ａｌ／ＰＶＦ多層積層フィルムである。しかしながら、これらの構造は、ＰＶＦのＰＥＴへの接着力が低いという欠点を伴う恐れがある。接着力は、典型的に、ポリマー表面を、コロナ放電または同様の技術により処理することにより補強されて、ＰＶＦフィルムにおける接着力が増す。同様に、ＰＶＦに接着剤を用いても、接着力が増す。
【０００４】
ここで、ポリフッ化ビニリデンを背面シート組成物に用いると、現在の技術よりも、性能、処理およびコストの改善がなされることが分かった。ＰＶＤＦをＰＥＴ積層体に与えるのに、接着層および／または表面処理を省けると有利である。ポリフッ化ビニリデン（ＰＶＤＦ）、ポリフッ化ビニリデンコポリマーおよびポリフッ化ビニリデンブレンドから形成された背面シートは、ポリフッ化ビニリデンの特性を活かして、他の材料に関して上に挙げた問題を克服することができる。
【先行技術文献】
【特許文献】
【０００５】
【特許文献１】米国特許第６６４６１９６号明細書
【特許文献２】米国特許第６６６０９３０号明細書
【特許文献３】米国特許第３１７８３９９号明細書
【特許文献４】米国特許第６６８０３５７号明細書
【発明の概要】
【課題を解決するための手段】
【０００６】
本発明は、
ａ）外側透明グレージング材料と、
ｂ）カプセル封入相互接続太陽電池と、
ｃ）最外背面層を含むポリフッ化ビニリデン（ＰＶＤＦ）組成物を含む背面シートと
を含む光起電モジュールまたは太陽光発電装置に関する。
【０００７】
ＰＶＤＦ層は、共押出し、積層または接着したフィルムとして、あるいは溶剤または水性コーティングとして存在し得る。ＰＶＤＦは接着力を高めるために官能化させる、またはタイ層と共に用いることができる。
【発明を実施するための形態】
【０００８】
「光起電モジュール」とは、本明細書において使用される際、環境保護積層体に密閉された光起電電池回路の構造を意味する。光起電モジュールを組み合わせて、予め配線された現場据え付け可能な装置である光起電パネルを形成してもよい。光起電アレイは、任意の数のＰＶモジュールとパネルとからなる完成した発電装置である。
【０００９】
本発明の背面シートは、１枚以上のポリフッ化ビニリデン（ＰＶＤＦ）またはＰＶＤＦコポリマー層を含み、ポリフッ化ビニリデン組成物は、環境に曝露される最外シートである。
【００１０】
本発明の各ＰＶＤＦ層組成物は、ホモポリマー、コポリマー、ターポリマーあるいはＰＶＤＦホモポリマーまたはコポリマーとＰＶＤＦ（コ）ポリマーと相溶性のある１種類以上のその他ポリマーのブレンドであってよい。本発明のＰＶＤＦコポリマーおよびターポリマーは、フッ化ビニリデン単位が、ポリマー中の全モノマー単位の総重量の７０パーセントを超える、より好ましくは単位の総重量の７５パーセントを超えるものである。フッ化ビニリデンのコポリマー、ターポリマーおよびそれ以上のポリマーは、フッ化ビニリデンを、フッ化ビニル、トリフルオロエテン、テトラフルオロエテン、１つ以上の部分または完全フッ素化α−オレフィン、例えば、３，３，３−トリフルオロ−１−プロペン、１，２，３，３，３−ペンタフルオロプロペン、３，３，３，４，４−ペンタフルオロ−１−ブテンおよびヘキサフルオロプロペン、部分フッ素化オレフィンヘキサフルオロイソブチレン、過フッ素化ビニルエーテル、例えば、パーフルオロメチルビニルエーテル、パーフルオロエチルビニルエーテル、パーフルオロ−ｎ−プロピルビニルエーテルおよびパーフルオロ−２−プロポキシプロピルビニルエーテル、フッ素化ジオキソール、例えば、パーフルオロ（１，３−ジオキソール）およびパーフルオロ（２，２−ジメチル−１，３−ジオキソール）、アリル、部分フッ素化アリルまたはフッ素化アリルモノマー、例えば、２−ヒドロキシエチルアリルエーテルまたは３−アリルオキシプロパンジオールおよびエテンまたはプロペンからなる群から選択される１つ以上のモノマーと反応させることにより作製される。好ましいコポリマーまたはターポリマーは、フッ化ビニル、トリフルオロエテン、テトラフルオロエテン（ＴＦＥ）およびヘキサフルオロプロペン（ＨＦＰ）により形成される。
【００１１】
特に好ましいコポリマーはＶＤＦのものであり、約７１〜約９９重量パーセントのＶＤＦおよび対応して約１〜２９パーセントのＨＦＰ、約７１〜９９パーセントのＶＤＦおよび対応して約１〜２９パーセントのＴＦＥ（例えば、米国特許第３，１７８，３９９号明細書に開示）、約７１〜９９重量パーセントのＶＤＦおよび約１〜２９重量パーセントのトリフルオロエチレンを含む。
【００１２】
特に好ましい熱可塑性ターポリマーは、ＶＤＦ、ＨＦＰおよびＴＦＥのターポリマー、ならびにＶＤＦ、トリフルオロエテンおよびＴＦＥのターポリマーである。特に好ましいターポリマーは、少なくとも７１重量パーセントのＶＤＦを有し、他のコモノマーは、異なる割合で存在してよいが、併せて、ターポリマーの２９重量パーセントまでである。
【００１３】
ＰＶＤＦ層はまた、ＰＶＤＦポリマーと、相溶性のあるポリマー、例えば、ポリメチルメタクリレート（ＰＭＭＡ）のブレンドであり、ＰＶＤＦが５０重量体積パーセントを超えるものとすることもできる。ＰＶＤＦおよびＰＭＭＡを溶融ブレンドして、均一なブレンドを形成することができる。好ましい実施形態は、６０〜８０重量パーセントのＰＶＤＦと、２０〜４０重量パーセントのポリメチルメタクリレートコポリマーのポリメチルメタクリレートとのブレンドである。
【００１４】
ＰＶＤＦ層はまた、参照により本明細書に援用される米国特許第６，６８０，３５７号明細書に記載された通り、アクリル変性フルオロポリマー（ＡＭＦ）からなるものとすることができる。
【００１５】
ＰＶＤＦ含有背面シートの合計厚さは、２５ミクロン〜５００ミクロン、好ましくは７５〜３５０ミクロンの厚さであり、単層または多層構造とすることができる。一実施形態において、背面シートは、各側に１ミルのＰＶＤＦ層を備えた１０ミルのバリア層からなる。
【００１６】
ＰＶＤＦ層は、ＰＶＤＦに加えて、その他の添加剤、これらに限定されるものではないが、例えば、ＵＶ安定剤、可塑剤、充填剤、着色剤、顔料、酸化防止剤、帯電防止剤、界面活性剤、トナー顔料および分散助剤を含有していてもよい。好ましい実施形態において、顔料を添加して、ソーラーモジュールへの光の反射を補助する。ＵＶ抵抗性が、背面層の主たる機能であるため、ＵＶ吸収剤は、ＰＶＤＦおよび／またはバリア層に０．０５パーセント〜５．０パーセントのレベルで存在しているのが好ましい。また、顔料は、ポリマーを基準にして、２．０重量パーセント〜３０重量パーセントのレベルで用いることができる。一実施形態において、耐候性フルオロポリマー層は、３０〜１００重量パーセントのフルオロポリマー、０〜７０重量パーセントの相溶性樹脂、例えば、（メタ）アクリルポリマーまたはコポリマー、０〜３０重量パーセントの無機充填剤または顔料および０〜７重量パーセントのその他の添加剤でできている。
【００１７】
好ましい実施形態において、フルオロポリマーは官能化されている。１枚以上の官能化フルオロポリマー層を、さらに良い水蒸気バリア特性を有する少なくとも１枚の層と組み合わせてもよい。官能化フルオロポリマーは、官能化ポリフッ化ビニリデンポリマー、例えば、無水マレイン酸官能化ＰＶＤＦ（Ａｒｋｅｍａ製ＫＹＮＡＲ  ＡＤＸ等）とすることができる。官能化フルオロポリマーはまた、当該技術分野において公知の官能化ＥＴＦＥまたはＥＦＥＰとすることもできる。有用なバリア層としては、アルミニウム、ＰＥＴ、ＰＥＮおよびＥＶＯＨが挙げられる。一実施形態において、アルミニウムは、アルミニウムホイルの形態にある。
【００１８】
フルオロポリマーは、官能基を含有するか、または官能化（好ましくは相溶性）共官能化共樹脂（官能化アクリルタイプ樹脂等）とブレンドされている。このフルオロポリマーの融点は、フルオロポリマー層の官能基と化学的に結合し得る官能化タイ層樹脂（ＬＯＴＡＤＥＲ  ＡＸ８９００またはＡＸ８８４０またはＡＤＸ１２００）と共押出しするために適合するのが好ましい。この層は、他の官能化または非官能化樹脂と配合して、耐湿性、絶縁耐力、耐熱性およびその他特性等の全体の性能を最適化してもよい。
【００１９】
官能化フルオロポリマーはまた、官能化タイ層樹脂と、ポリエチレンテレフタレート、融点を下げるためにネオペンチルグリコール等の他のグリコールにより変性された他のポリエチレンテレフタレートのコポリマー、テレフタル酸をベースとする他のポリエステル、ポリ酢酸等の天然由来のポリエステル、ポリアミドとポリオレフィンのナノ層分離生成物であるＬＯＴＡＤＥＲ  ＸＬＰ等の任意の第３の層と共押出しすることもできる。
【００２０】
ＰＶＤＦおよび水分バリアは、共押出しまたは積層等の手段により組み合わせてよい。有用な水蒸気バリアとしては、これらに限定されるものではないが、エチレンビニルアルコール、ポリエチレンテレフタレート、ポリプロピレンテレフタレートおよびＡｒｋｅｍａ  Ｉｎｃ．製ＬＯＴＡＤＥＲ反応性ポリエチレン等の反応性ポリエチレンが挙げられる。反応性ポリエチレンとしては、これらに限定されるものではないが、エチレン−メチルアクリレート−無水マレイン酸、エチレン−ブチルアクリレート−無水マレイン酸、エチレン−エチルアクリレート−無水マレイン酸、エチレン／グリシジルメタクリレートおよびエチレン−無水マレイン酸−グリシジルメタクリレートが挙げられる。バリア層はまた、アルミニウムホイル等の金属とすることもできる。様々なタイ層が特定されている。
【００２１】
バリア層は、片側または両側に、ポリビニリデン層を有していてもよい。ＰＶＤＦ層がバリア層の両側にあるときは、各側は、製造を補助するために、同じ組成であるのが好ましい。ただし、層は、異なる厚さおよび組成を有することもできる。ある構造については、バリア層とＰＶＤＦは、接着剤またはタイ層を用いて接着することができる。有用なタイ層としては、Ａｒｋｅｍａ  Ｉｎｃ．より入手可能なＫＹＮＡＲ  ＡＤＸ、ＫＹＮＡＲＦＬＥＸ、ＫＹＮＡＲ／アクリル混合物、ＬＯＴＡＤＥＲが挙げられる。他の有用なタイ層は、アクリルブロックコポリマーからなる。これらのブロックコポリマーは、制御されたラジカル重合プロセスにより形成することができ、ｂ−ＰＭＭＡ／ｂ−ポリブチルアクリレート／ｂ−ＰＭＭＡまたはｂ−ＰＭＭＡ／ｂ−ポリブチルアクリレート／ｂ−ＰＭＡＡ等のコポリマーを含む。
【００２２】
Ｋｙｎａｒフィルムは、コロナ放電等の技術により処理して、接着特性を改善することができる。
【００２３】
好ましい実施形態において、ＰＶＤＦ層は、タイ層または接着剤を必要とすることなく、バリア層に直接接着する。直接接触に有用なＰＶＤＦとしては、５〜３０重量パーセントのＨＦＰレベルのＰＶＤＦコポリマーおよび無水マレイン酸グラフト化ＰＶＤＦが挙げられる。接着は、光起電モジュールへ組み立てる前の多層背面シートの共押出しか、またはモジュールを全体として形成するための熱／硬化プロセス中の別個の層の積層体の形成のいずれかによりなされる。
【００２４】
一実施形態において、ＰＶＤＦ層は、エチレン酢酸ビニルカプセル材に接着する能力のために選択される。
【００２５】
背面シートは、好ましくは、共押出しまたはブローンフィルムプロセスで形成されて、光起電モジュールの背面に適用されるが、押出し積層も可能である。
【００２６】
背面シートは、相溶性官能化共樹脂を含有する官能化ポリフッ化ビニリデン系配合物またはポリフッ化ビニリデン系配合物を、ＰＥＴまたは他の基板上で押出し積層することにより形成される。基板は前処理（例えば、接着剤でコート）して、ＶＦ２系配合物およびＰＥＴにあるような、化学的に反応または結合可能な官能基を表面が有するようにしてもよい。結合は、押出し積層中または構造の熱後処理中になされ得る。
【００２７】
ＵＶ不透明ＰＶＤＦ組成物の処理済みＰＥＴまたはポリエチレンナフタレート（ＰＥＮ）への押出しコーティングを用いて、有用な背面シートを生成することができる。
【００２８】
ＰＶＤＦと、５０重量パーセントまでのアクリル、０〜３０重量パーセントの無機顔料充填剤および０〜５重量パーセントのＵＶ吸収剤とのブレンドを、ＰＥＴに押出し積層して、背面シートを形成することができる。
【００２９】
本発明の有用な背面シートおよびそれらを形成する手段の例を以下に挙げる。当業者であれば、明細書および以下の実施例に基づいて、ＰＶＤＦ含有背面シートの多くのその他の例を推測できるであろう。
−官能化ＰＶＤＦ層／／ＬＯＴＡＤＥＲ  ＡＤＸ１２００／／ＰＥＴまたはＰＥＴＧ／／
−ＰＶＤＦ／アクリルブレンド／／ＬＯＴＡＤＥＲ／／ＰＶＤＦ／アクリルブレンド
−ＰＶＤＦ／ＬＯＴＡＤＥＲ／ＰＶＤＦ
−ＰＶＤＦホモポリマー単層
−ＰＶＤＦ／ＨＦＰコポリマー単層
−ＰＶＤＦコポリマー／アルミニウムホイル／ＰＶＤＦコポリマー
【００３０】
一実施形態において、ＰＶＤＦまたはＰＶＤＦ／アクリル化合物／／タイ層／／ＰＥＴＧ／／タイ層／／ＰＶＤＦまたはＰＶＤＦアクリル化合物の共押出し５層シートが形成される。さらに強度が必要な場合には、材料を二軸延伸してもよい。
【００３１】
他の実施形態において、外側層を有する共押出し三層シートは、官能化ポリエチレン（ＬＯＴＡＤＥＲ  ＰＥ−コ−ＧＭＡ）タイ層（Ａｒｋｅｍａ製ＬＯＴＡＤＥＲ  ＡＸ８８４０、ＡＸ８９００およびＡＤＸ１２００）およびエチレン酢酸ビニル（ＥＶＡ）またはポリアミド６−ｇ−ＬＯＴＡＤＥＲ  ＰＥ−コ−ＭＡ（ＬＯＴＡＤＥＲ  ＸＬＰ）を備えた、無水マレイン酸でグラフト化されたＰＶＤＦ（Ａｒｋｅｍａ製ＫＹＮＡＲ  ＡＤＸ）により配合される。背面シートはまた、ＬＯＴＡＤＥＲ（ＧＭＡ）およびＫＹＮＡＲ  ＡＤＸ化合物層の他のタイ層を有していてもよい。ＫＹＮＡＲ  ＡＤＸ化合物の代わりを、ＫＹＮＡＲ＋ＰＭＭＡ酸（ＨＴ１２１または高酸ＰＭＭＡ）化合物）とすることができる。これが、ＰＥＴ層を必要とせず、かつ良好な耐湿性を維持する変形の背面シートとなる。他の樹脂も、上述したＬＯＴＡＤＥＲ  ＸＬＰの代わりとすることができる。好ましい選択肢は、低水分吸収性および高絶縁耐力を有するものである。
【００３２】
本発明の変形例は、カプセル封入のためにＥＶＡと配合されたＬＯＴＡＤＥＲ  ＧＭＡおよびＬＯＴＡＤＥＲ  ＸＬＰと共に、外側ＫＹＮＡＲ  ＡＤＸ層を有する。
【００３３】
ポリフッ化ビニリデン外側層を形成する他の方法は、溶剤または水系コーティングでのコーティングによるものである。フルオロポリマー層を、ＰＶＤＦまたはＰＶＤＦコポリマーをベースとする溶剤コーティングとして、公知の手段により、ＰＥＴ層に適用してもよい。意外なことに、コーティングの接着力は非常に良好である。任意で、ＰＥＴの表面を処理すると、プライマーを添加し、高エネルギー表面前処理（コロナまたはプラズマ）処理あり、またはなしで、接着力を高めることができる。配合物には、０〜３０重量％の無機充填剤、例えば、ＴｉＯ2、アクリルポリマー、安定剤およびその他添加剤が含まれる。ＰＶＤＦの融点は、室温から１５０℃とすることができる。低温融点ポリマーについては、後のＰＶモジュール積層条件（５分間１５０Ｃ）に対して、これらのコーティングの耐熱性を、任意で架橋剤を配合することにより改善することができる。
【００３４】
水系ポリフッ化ビニリデンは、本発明のアクリル変性フルオロポリマーをベースとするラテックスコーティングにより適用し、ＰＥＴまたはその他基板にコートすることができる。アクリル変性ポリマーの接着力は、意外にも非常に良い。任意で、ＰＥＴの表面を処理すると、プライマーを添加し、高エネルギー表面前処理（コロナまたはプラズマ）処理あり、またはなしで、接着力を高めることができる。配合物には、溶剤コーティングと同様に、添加剤が含まれる。
【００３５】
コーティングはまた、ヒドロキシル等量が１０〜１００、最も好ましくは２０〜８０の官能化コモノマー（ＨＥＭＡ等）を含有し得る。コーティング樹脂含量には、５０〜１００％のＶＦ２系ポリマー、１０〜５０％の官能化アクリルモノマーが含まれる。コーティングは、さらに、０〜３０％の無機充填剤、０〜７％の安定剤および処理助剤を含むことができ、また、フルオロポリマー配合物を架橋し、かつＰＥＴまたはその他層ポリマーの表面に結合して、ＰＶモジュール用の単純な低コスト背面シートを生成する２〜３３％の低分子量架橋剤も含有する。有用な架橋剤としては、ＤＥＳＭＯＤＵＲ  Ｎ３３００、ＤＥＳＭＯＤＵＲ  ４２６５ＢＬ、ＣＹＭＥＬ  ３００および３０３が例示される。架橋剤の添加により、コーティングの熱安定性抵抗、硬度、引っ掻き抵抗、さらに耐溶剤性も改善される。
【００３６】
様々なバリア層（水分）および絶縁耐力層（絶縁破壊強度について）を含む多層構造は、様々な方法により生成される。タイ層およびその他の層は、フルオロポリマー層が官能化されているときは特に、フルオロポリマーフィルム層に押出しまたは熱積層、共押出し、溶剤コート等することができる。ＡＤＸについては非常の興味深い適用であり得る。バリア層がこの場合含まれる。ＰＶＤＦ層を接着剤でコートすると、バリア層に効率的に結合する。溶剤コーティングを含有する官能化ＰＶＤＦ（ＡＤＸ）の外側耐候性層を備えた背面シートを、アルミニウムホイルの片側または両側に配置すると、他の誘電材料に化学的に結合して、ＰＶモジュール用の効率的かつ低透過率の背面シートを形成することができる。
【実施例】
【００３７】
実施例１：（溶液コーティングの実施例）
表１に示す配合物を用いて、溶液コーティング配合物を調製した。この配合物を、ペイントシェーカーで１２５グラムの４ｍｍガラスビーズと共に中身を３０分間振とうすることにより混合した。このコーティングは架橋しない。このコーティングを、ＳＫＣフィルムよりＳＨ−２２として入手可能な（これは、接着力を改善するために化学処理されている）５ミルのＰＥＴに、５ミルのブレードを用いて、コートした。空気中で５分間流してから、３分間、３５０°Ｆで、強制空気オーブンにおいてオーブン硬化した。乾燥コーティング厚さは、約１ミルである。コートしたフィルムを、水に８５℃で７２時間浸漬し、乾燥し、ＡＳＴＭ  Ｄ３３５９に定義された一般手順を用いて、クロスハッチ接着力を試験した。接着力Ｉを、テープを適用し、除去した後に保持されたパーセントで記録した。１００％の値は、平方の全てが基板にまだ接着したままであることを意味している。５０％の値は、平方の５０％が基板に保持されていることを意味している。
【００３８】
本実施例において、試料の接着力は１００％で、優れた接着力を示している。
【００３９】
【表１】
0005882937.tif 000002
【００４０】
実施例２：（分散液コーティングの実施例）
分散液コーティングの実施例を、アクリルを架橋し、かつ処理済みＰＥＴと結合可能とさせるために、ＫＹＮＡＲ  ５００粉末、官能化アルキルおよび架橋剤により配合した。表２の配合物を、３０分間、１２５ｇの４ｍｍのガラスビーズと、実施例１と同様のペイントシェーカーで混合した。コーティングを、ＳＫＣ（ＳＨ２２）より入手可能な５ミルのＰＥＴフィルムにコートした。室温で５分間流した後、３分間、３５０°Ｆでオーブン硬化した。フィルム積層体を、８５℃で水に７２時間浸漬し、平方の８０〜９０％が基板に保持されるようにして実施例１と同様に、クロスハッチ接着力を試験した。これは優れた接着力を示し、接着力は、焼成温度を最適化することにより高めることができることが分かる。
【００４１】
【表２】
0005882937.tif 000003
【００４２】
例３（比較）
比較例として、実施例２と同様の配合物を調製した（表３参照）。
【００４３】
【表３】
0005882937.tif 000004
【００４４】
この配合物を、実施例２と同様の方法で混合した。同じ手順を用いて、フィルムを形成し、焼成した。試料を水に８５℃で７２時間浸漬し、クロスハッチ接着力を試験した。結果によれば、フィルム接着力が、０％のクロスハッチ平方を保持していたことが分かった。
【００４５】
実施例４
水性コーティングを、Ａｒｋｅｍａアクリル変性フルオロポリマー技術に基づいて配合した。以下に示した配合物において、顔料濃縮物を、Ｃｏｗｌｅｓ高速ミキサーを用いて、２０００ｒｐｍで１５分間、４０００ｒｐｍで３０分間動作させて生成した。ラテックス配合物を、低速混合攪拌器を用いて、５００ｒｐｍで１０分間混合し、増粘剤を、記載した通り、２アリコートで添加した。次に、これらを、低速攪拌器で、さらに１０分間、一緒にブレンドし、ろ過し、実施例１と同様に、５ミルのドローダウンブレードを用いて、約１ミルの乾燥コーティング厚さまで、同じ予備処理済みＰＥＴにコートした。試料を、室温で１０分間流してから、１０分間、５５℃でオーブン焼成した。試料を、水に８５℃で７２時間浸漬し、実施例１と同様にコーティング接着力を試験した。基板の平方の１００％の保持により示されるように、優れた接着力であった。
【００４６】
【表４】
0005882937.tif 000005
【００４７】
【表５】
0005882937.tif 000006